(57)【要約】【課題】非注出時に卓上等で倒れた場合に液体が注出口部から外部へ流出するのを防ぐことができ、しかも、非注出時に虫が注出口部へ侵入するのを防ぐことができるようにする。【解決手段】上下に貫通する嵌合孔２１ａと、該嵌合孔２１ａに連なる弁座３ａ及び注出口部４の注出終端４ａを閉じる閉口部７とを蓋体２が有しており、前記弁座３ａに接触することにより弁部３となる弁体部３ｂと、該弁体部３ｂに連なり前記嵌合孔２１ａに移動自在に嵌合された注出始め側の筒部４１及び該筒部４１に湾曲部を介して連なる注出終り側の筒部４２とを前記注出口部４が有しており、前記弁部３が閉じるように前記注出口部４を付勢するバネ５を備える構成とした。【選択図】        図１
2004175435.tif 000002
【特許請求の範囲】
【請求項１】
上部の注入口部が蓋体により閉鎖された注出容器本体内に収容される液体を注出するための注出口部を前記蓋体に設けてなる注出容器において、前記注出口部は前記蓋体との間が弁部となるように蓋体に移動自在に支持されており、該注出口部を前記弁部が閉じる位置へ付勢する付勢手段及び前記注出口部の注出終端を閉じる閉口部を有することを特徴とする注出容器。
【請求項２】
前記閉口部は前記注出口部が弁部を閉じた位置で前記注出終端を閉じるように前記蓋体と一体に成形されている請求項１記載の注出容器。
【請求項３】
上部の注入口部が蓋体により閉鎖された注出容器本体内に収容される液体を注出するための注出口部を前記蓋体に設けてなる注出容器において、前記蓋体は上下に貫通する嵌合孔と、該嵌合孔に連なる弁座及び前記注出口部の注出終端を閉じる閉口部とを有しており、前記注出口部は前記弁座に接触することにより弁部となる弁体部と、該弁体部に連なり前記嵌合孔に移動自在に嵌合された注出始め側の筒部及び該筒部に湾曲部を介して連なる注出終り側の筒部とを有しており、前記弁部が閉じるように前記注出口部を付勢するバネを備えていることを特徴とする注出容器。
【発明の詳細な説明】
【０００１】
【発明の属する技術分野】
本発明は食卓用の醤油瓶、ソース瓶等の調味用に好適な注出容器に関する。
【０００２】
【従来の技術】
醤油瓶等の注出容器は、上部に注入口部を有する注出容器本体と、該注出容器本体の注入口部を閉鎖する蓋体と、注出容器本体内に収容される液体を注出するための注出口部とを備えている。（例えば、特許文献１参照。）
【０００３】
【特許文献１】
特開平５−２８５０３５号公報
【０００４】
【発明が解決しようとする課題】
ところが、特許文献１のような従来の注出容器にあっては、注出口部が注出始端から注出終端にかけて常に連通しているため、例えば卓上で注出容器が倒れた場合、注出容器本体内の液体が注出口部から外部へ流出することになり、また、卓上に載置されている場合に比較的小さい虫が注出口部へ侵入することがあり、改善策が要望されていた。
【０００５】
本発明は斯かる事情に鑑みてなされたものであり、注出口部を蓋体との間が弁部となるように移動自在とし、該注出口部を前記弁部が閉じる位置へ付勢する付勢手段及び注出口部の注出終端を閉じる閉口部を有する構成とすることにより、非注出時に卓上等で倒れた場合に液体が注出口部から外部へ流出するのを防ぐことができ、しかも、非注出時に虫が注出口部へ侵入するのを防ぐことができる注出容器を提供することを目的とする。
【０００６】
また、注出口部が弁部を閉じた位置で注出終端を閉じるように閉口部を蓋体と一体に成形した構成とすることにより、注出操作と別個に閉口部を操作することなく注出終端を閉じることができる注出容器を提供することを目的とする。
【０００７】
また、上下に貫通する嵌合孔と、該嵌合孔に連なる弁座及び前記注出口部の終端を閉じる閉口部とを蓋体に設け、前記弁座に接触することにより弁部となる弁体部と、該弁体部に連なり前記嵌合孔に移動自在に嵌合された注出始め側の筒部及び該筒部に湾曲部を介して連なる注出終り側の筒部とを注出口部に設け、さらに、弁部が閉じるように前記注出口部を付勢するバネを備えた構成としたことにより、非注出時に卓上等で倒れた場合に液体が注出口部から外部へ流出するのを防ぐことができ、しかも、非注出時に虫が注出口部へ侵入するのを防ぐことができる注出容器を提供することを目的とする。
【０００８】
【課題を解決するための手段】
第１発明に係る注出容器は、上部の注入口部が蓋体により閉鎖された注出容器本体内に収容される液体を注出するための注出口部を前記蓋体に設けてなる注出容器において、前記注出口部は前記蓋体との間が弁部となるように蓋体に移動自在に支持されており、該注出口部を前記弁部が閉じる位置へ付勢する付勢手段及び前記注出口部の注出終端を閉じる閉口部を有することを特徴とする。
【０００９】
第１発明にあっては、付勢手段の付勢力に打ち勝って注出口部を移動操作することにより弁部を開くことができ、注出容器本体内の醤油等の液体を注出口部から容易に注出することができる。また、注出口部の移動操作を解除することにより付勢手段が弁部を閉じ、さらに、閉口部により注出終端を閉じることができるため、卓上等で倒れた場合に注出容器本体内の液体が注出口部から外部へ流出するのを防ぐことができるとともに、非注出時に虫が注出口部へ侵入するのを防ぐことができる。
【００１０】
第２発明に係る注出容器は、前記閉口部は前記注出口部が弁部を閉じた位置で前記注出終端を閉じるように前記蓋体と一体に成形されていることを特徴とする。
第２発明にあっては、注出操作と別個に閉口部を操作することなく注出終端を自動的に閉じることができる。
【００１１】
第３発明に係る注出容器は、上部の注入口部が蓋体により閉鎖された注出容器本体内に収容される液体を注出するための注出口部を前記蓋体に設けてなる注出容器において、前記蓋体は上下に貫通する嵌合孔と、該嵌合孔に連なる弁座及び前記注出口部の注出終端を閉じる閉口部とを有しており、前記注出口部は前記弁座に接触することにより弁部となる弁体部と、該弁体部に連なり前記嵌合孔に移動自在に嵌合された注出始め側の筒部及び該筒部に湾曲部を介して連なる注出終り側の筒部とを有しており、前記弁部が閉じるように前記注出口部を付勢するバネを備えていることを特徴とする。
【００１２】
第３発明にあっては、バネの付勢力に打ち勝って注出口部を移動操作することにより弁部を開くことができ、注出容器本体内の醤油等の液体を注出口部から容易に注出することができる。また、注出口部の移動操作を解除することによりバネが弁部を閉じ、さらに、閉口部により注出終端を閉じることができるため、卓上等で倒れた場合に注出容器本体内の液体が注出口部から外部へ流出するのを防ぐことができるとともに、非注出時に虫が注出口部へ侵入するのを防ぐことができる。
【００１３】
【発明の実施の形態】
以下本発明をその実施の形態を示す図面に基づいて詳述する。
図１は本発明に係る注出容器の構成を示す縦断側面図、図２は注出時における注出口部の拡大断面図、図３は注出容器の右側面図、図４の（ａ）  は注出容器の正面図、図４の（ｂ）  は注出容器の背面図、図５の（ａ）  は注出容器の平面図、図５の（ｂ）  は注出容器の底面図である。
【００１４】
この注出容器は、卓上に載置される比較的小形の醤油瓶、ソース瓶であり、上部に注入口部１ａを有し、醤油、ソースである液体が収容される注出容器本体１と、該注出容器本体１の注入口部１ａ周面に螺着されることにより注入口部１ａを閉鎖し、上下に貫通する嵌合孔２１ａを有する合成樹脂製の蓋体２と、該蓋体２との間が弁部３となるように蓋体２に移動自在に支持された注出口部４と、該注出口部４を前記弁部３が閉じる位置へ付勢する付勢手段としてのバネ５と、注出容器本体１に枢支され、注出口部４を移動操作するためのレバー体６と、注出口部４が付勢されているとき、該注出口部４の注出終端４ａを閉じる閉口部７とを備えている。
【００１５】
注出容器本体１は注入口部１ａを有する有底円筒形のガラス製であり、底部にはガラスよりも摩擦係数が大きい合成樹脂製の滑り止め環８が嵌合されている。
【００１６】
蓋体２は前記嵌合孔２１ａを有し、注出容器本体１の注入口部１ａ縁に接触する円板状の内蓋部材２１と、注入口部１ａ周面に螺着されるねじ環部２２ａを有し、内蓋部材２１を注入口部１ａ縁に押圧して注出容器本体１を密封にする外蓋部材２２とからなり、内蓋部材２１及び外蓋部材２２が合成樹脂材料により成形されている。
内蓋部材２１の嵌合孔２１ａ部分には環部２１ｂが突設されており、該環部２１ｂ内を嵌合孔２１ａとしてある。この嵌合孔２１ａの下端はテーパの弁座３ａとしてある。
【００１７】
外蓋部材２２は前記注出口部４の移動を許容する第１の凹所２２ｂと、該凹所２２ｂに連なり、前記レバー体６を収容する長孔形状の第２の凹所２２ｃと、前記嵌合孔２１ａに対応する貫通孔２２ｄとを有しており、凹所２２ｂ部分から外部へ突設するように前記閉口部７が外蓋部材２２と一体に成形されている。また、第２の凹所２２ｃの凹所２２ｂと反対側には前記レバー体６を枢支するための２つの枢支凹部２２ｅ，２２ｅが設けられている。尚、閉口部７は注出口部４の移動方向と交差する方向へ傾斜した板状である。
【００１８】
注出口部４は弁座３ａに接触することにより弁部３となる弁体部３ｂと、該弁体部３ｂに連なり前記嵌合孔２１ａに移動自在に嵌合された注出始め側の筒部４１及び該筒部４１に湾曲部を介して連なる注出終り側の筒部４２とを有しており、筒部４１，４２内を注出路としてある。この注出路の注出始端４ｂは半径方向に開放されており、弁体部３ｂが弁座３ａに接触した場合に注出始端４ｂが閉じられる。注出始め側の筒部４１の外周りにコイルバネからなる前記バネ５が配置されている。また、注出終端４ａは前記移動方向と交差する方向へ傾斜しており、バネ５により注出口部４が付勢されているとき、注出終端４ａが閉口部７に接触するか、又は、注出終端４ａと閉口部７との間の隙間が小さくなるようにしてある。
【００１９】
バネ５は前記内蓋部材２１と注出終り側の筒部４２との間に配置されており、弁部３が閉となるように注出口部４を付勢している。
【００２０】
レバー体６は長手方向一端部の両側に、前記枢支凹部２２ｅ，２２ｅに嵌合される枢支凸部６ａ，６ａを有しており、長手方向他端部に前記注出口部４に当接、詳しくは前記注出終り側の筒部４２に当接する当接部６ｂを有しており、前記バネ５の付勢力が注出口部４を介して伝動されるようになっている。尚、当接部６ｂは前記凹所２２ｂに当接することにより揺動が制限されるようになっている。
尚、注出容器の左側面図は右側面図と同一に現われる。
【００２１】
以上のように構成された注出容器は、注出容器内に収容された液体を調味料として注出する場合、例えば人指指を除く四指により注出容器本体１を把持し、注出口部４が下向きとなるように注出容器を傾けつつ人指指によってレバー体６を押圧することにより、バネ５の付勢力に打ち勝って注出口部４が移動し、弁体部３ｂが弁座３ａから離脱し、弁部３が開放される。この弁部３の開放により注出容器本体１内の液体が注出始端４ｂから注出路へ流入し、注出終端４ａから注出することができる。この注出後に人指指によるレバー体６の押圧を解除することにより、バネ５の付勢力により注出口部４が移動し、弁体部３ｂが弁座３ａに接触し、弁部３を閉じることができ、さらに、注出口部４の注出終端４ａが閉口部７により閉じられる。この注出終端４ａが閉じられるのは、注出終端４ａが閉口部７に接触して閉じられるか、又は、注出終端４ａと閉口部７との間の隙間が小さくなって比較的小さい虫が注出終端４ａから注出口部４へ入らない程度に閉じられる。  従って、注出後に卓上に載置された注出容器に他物が当たって倒れた場合、注出容器本体１内の液体が注出口部４から外部へ流出するのを防ぐことができる。しかも、注出口部４の注出終端４ａは閉口部７により閉じられているため、比較的小さい虫であっても注出口部４への侵入を防ぐことができる。
【００２２】
また、注出する場合、レバー体６を介して注出口部４を移動させるため、注出容器本体１を把持した状態で注出口部４を容易に移動操作することができる。また、このレバー体６は蓋体２の第２の凹所２２ｃに収容されているため、蓋体２に他物が当たる場合においても、他物によるレバー体６の揺動を蓋体２によって防ぐことができ、注出容器本体１内の液体が注出口部４から外部へ流出するのを防ぐことができる。
【００２３】
尚、以上説明した実施の形態では付勢手段としてバネを用いたが、その他、可撓性を有する筒形ゴム等の弾性体であってもよい。
【００２４】
【発明の効果】
以上詳述したように第１発明によれば、付勢手段の付勢力に打ち勝って注出口部を移動操作することにより弁部を開いて注出口部から容易に注出することができ、しかも、注出口部の移動操作を解除することにより付勢手段が弁部を閉じ、さらに、閉口部により注出終端を閉じることができるため、卓上等で倒れた場合に注出容器本体内の液体が注出口部から外部へ流出するのを防ぐことができるとともに、非注出時に比較的小さい虫が注出口部へ侵入するのを防ぐことができる。
【００２５】
第２発明によれば、注出口部が弁部を閉じた位置で前記注出終端を閉じるように前記蓋体と一体に閉口部が成形されているため、注出操作と別個に閉口部を操作することなく注出終端を自動的に閉じることができる。
【００２６】
第３発明によれば、バネの付勢力に打ち勝って注出口部を移動操作することにより弁部を開いて注出口部から容易に注出することができ、しかも、注出口部の移動操作を解除することによりバネが弁部を閉じ、さらに、閉口部により注出終端を閉じることができるため、卓上等で倒れた場合に注出容器本体内の液体が注出口部から外部へ流出するのを防ぐことができるとともに、非注出時に比較的小さい虫が注出口部へ侵入するのを防ぐことができる。
【図面の簡単な説明】
【図１】本発明に係る注出容器の構成を示す縦断側面図である。
【図２】本発明に係る注出容器の注出時における注出口部の拡大断面図である。
【図３】本発明に係る注出容器の右側面図である。
【図４】本発明に係る注出容器であり、（ａ）  は正面図、（ｂ）  は背面図である。
【図５】本発明に係る注出容器であり、（ａ）  は平面図、（ｂ）  は底面図である。
【符号の説明】
１    注出容器本体
２    蓋体
３    弁部
３ａ  弁座
３ｂ  弁体部
４    注出口部
４ａ  注出終端
５    バネ（付勢手段）
７    閉口部
２１ａ  嵌合孔
４１  注出始め側の筒部
４２  注出終り側の筒部
【図１】
2004175435.tif 000003
【図２】
2004175435.tif 000004
【図３】
2004175435.tif 000005
【図４】
2004175435.tif 000006
【図５】
2004175435.tif 000007